(57)【要約】      （修正有）【課題】既存の治療用椅子に簡単に設置出来るとともに、後頭部の髪型を崩すことなく患者の後頭部を安定して支持することが可能な髪型維持用頸部支持台を提供する。【解決手段】装着部１１が、起倒可能な治療用椅子のバックレストとヘッドレストとの間のフレームにスライド可能に装着される。台部１２が、本体部１０の正面上方から所定の幅ｗで本体部の長手方向上方に沿って延出し、延出された先端１２ａを本体部の背面に向かって屈曲することで、側面視で逆Ｌ字状に形成される。櫛部１４を有する湾曲部１３が、台部の逆Ｌ字状の屈曲部から先端までの底面において、台部の正面視の両端から中央に向かって凹状で湾曲に形成される。起状態の治療用椅子のフレームに装着部を装着し、患者の後頸部を湾曲部に設置させて、治療用椅子を倒すことで、湾曲部に患者の後頸部を乗せた状態で装着部１１がフレームをスライドする。【選択図】図１
0003221365.tif 000002
【実用新案登録請求の範囲】
【請求項１】
直方体の本体部と、
起倒可能な治療用椅子のバックレストとヘッドレストとの間のフレームにスライド可能に装着される装着部と、
前記本体部の正面の上方から所定の幅で前記本体部の長手方向の上方に沿って延出し、当該延出された先端を前記本体部の背面に向かって屈曲することで、前記本体部の側面視で逆Ｌ字状に形成された台部と、
前記台部の逆Ｌ字状の屈曲部から先端までの底面において、前記台部の正面視の両端から中央に向かって凹状で湾曲に形成された湾曲部と、
を備え、
前記台部の逆Ｌ字状の先端を上方にして、起状態の前記治療用椅子のフレームに前記装着部を装着し、患者の後頚部を前記湾曲部に設置させて、前記治療用椅子を倒すことで、前記湾曲部が前記患者の後頸部を乗せた状態で前記装着部が前記フレームをスライドする
髪型維持用頸部支持台。
【請求項２】
前記湾曲部から前記本体部に向かって前記本体部の長手方向に沿って開口されたスリットを、前記本体部の短手方向に沿って所定の間隔で複数設けることで形成された櫛部
を更に備える
請求項１に記載の髪型維持用頸部支持台。
【考案の詳細な説明】
【技術分野】
【０００１】
本考案は、髪型維持用頸部支持台に関する。
【背景技術】
【０００２】
従来より、歯科治療のように、治療用椅子に背もたれた患者の頭部を安定的に支える技術は、各種提案されている。
【０００３】
例えば、特開２０００−７０３０１号公報（特許文献１）には、椅子の上部に配設され、患者が椅子に座った時に該患者の頭部を支える安頭台（ヘッドレスト）が開示されている。この安頭台は、両側から所定の間隔をもって延長する２本の支持柱から成り、該２本の支持柱により患者の頭部を両側から支持するようにしている。これにより、ポニーテールの髪形の患者（お客）に対して、該ポニーテールが邪魔になることのない、つまり、ポニーテールによって患者（お客）の頭部が圧迫されることのない安頭台を提供することができるとしている。
【０００４】
又、特開２００２−３４５９０６号公報（特許文献２）には、頭部の両側を押え込むように形成されたクッション部材と、該クッション部材の両側を支持する一対のクッション支持支柱とから成り、前記クッション部材が前記一対のクッション支持支柱に対して着脱可能に支持されている歯科往診専用安頭台が開示されている。これにより、クッション部材で患者の頭部の両脇をしっかり押さえ込むので、頭部が動くことはなく、さらに、安頭台の位置を移動することにより顎を引いた状態、上げた状態を簡単に作ることができ、これにより、下顎の治療、上顎の治療を楽に行うことができるとしている。
【０００５】
又、特開２００９−２２４９５号公報（特許文献３）には、起倒可能な歯科治療椅子に装着される安頭台が開示されている。この安頭台は、患者の後頭部を支える本体部の下部が上方に切り欠かれた凹形状をしている。歯科治療椅子を倒（寝）状態にして患者の上顎歯等を診療する際に、安頭台本体部の下部が患者の頸椎を圧迫しないようにしたので、換言すれば、安頭台本体部の下部を上方に切り欠いた凹形状とし、該凹形状部（安頭台本体の下部）が患者の頸椎にフィットするようにしたので、患者に不快感を与えることなく上顎歯等の診療を行うことができ、更には、髪型がポニーテールの患者に対しては、前記凹形状に切り欠かれた空間を通して髪を垂れ下げることができるので、ポニーテールの患者も快適に歯科治療が受けられるとしている。
【先行技術文献】
【特許文献】
【０００６】
【特許文献１】特開２０００−７０３０１号公報
【特許文献２】特開２００２−３４５９０６号公報
【特許文献３】特開２００９−２２４９５号公報
【考案の概要】
【考案が解決しようとする課題】
【０００７】
ここで、例えば、舞妓等、髷（まげ）・鬢（びん）・髱（たぼ）の日本髪の女性のように、髪の結び目が後頭部に位置する患者が歯科治療用椅子に背もたれると、椅子の安頭台と頭部との間に髪の結び目が挟まり、髪型が崩れてしまうという課題がある。
【０００８】
上述した特許文献１に記載の技術では、２本の支持柱が患者の頭部の両側を支持するため、後頭部の髪型が２本の支持柱により圧迫され、髪型が崩れてしまう。又、上述した特許文献２に記載の技術では、一対のクッション部材が後頭部に設置され、後頭部の髪型が圧迫されるため、上述と同様に、髪型が崩れてしまう。更に、上述した特許文献３に記載の技術では、凹形状以外の安頭台が患者の後頭部と接するため、後頭部の髪型が圧迫され、上述と同様に、髪型が崩れてしまう。このように、上述した特許文献１−３に記載の技術では、上述した課題を解決することが出来ない。
【０００９】
又、上述した特許文献１−３に記載の技術では、専用の安頭台又は専用の治療用椅子が必要であり、既存の治療用椅子に設置することが出来ず、簡単に利用することが出来ないという課題がある。
【００１０】
女性が自分の髪型を美容院で日本髪に整えた後に、急に歯の調子が悪くなり、歯科診療所に訪れた場合、通常の歯科治療用椅子では、日本髪が安頭台と頭部とに挟まれて潰れてしまう。そして、女性が歯科治療用椅子に着座するために、整えた日本髪を自分で解く必要がある。日本髪は、自分で一度解くと、簡単に自分で日本髪に整えることは出来ない。そのため、その女性は、再度、美容院に行って、自分の髪を日本髪に調整し直さなければならない。歯科診療所では、そのような急な患者に対して、日本髪を維持したまま治療出来るような便利ツールが求められていた。
【００１１】
そこで、本考案は、上述の課題を解決するためになされたものであり、既存の治療用椅子に簡単に設置することが出来るとともに、後頭部の髪型を崩すことなく患者の後頭部を安定して支持することが可能な髪型維持用頸部支持台を提供することを目的とする。
【課題を解決するための手段】
【００１２】
本考案者は、鋭意研究を重ねた結果、本考案に係る新規な髪型維持用頸部支持台を完成させた。即ち、本考案に係る髪型維持用頸部支持台は、本体部と、装着部と、台部と、湾曲部と、を備える。本体部は、直方体である。装着部は、起倒可能な治療用椅子のバックレストとヘッドレストとの間のフレームにスライド可能に装着される。台部は、前記本体部の正面の上方から所定の幅で前記本体部の長手方向の上方に沿って延出し、当該延出された先端を前記本体部の背面に向かって屈曲することで、前記本体部の側面視で逆Ｌ字状に形成されている。湾曲部は、前記台部の逆Ｌ字状の屈曲部から先端までの底面において、前記台部の正面視の両端から中央に向かって凹状で湾曲に形成されている。そして、本考案に係る髪型安定用頸部支持台は、前記台部の逆Ｌ字状の先端を上方にして、起状態の前記治療用椅子のフレームに前記装着部を装着し、患者の後頸部を前記湾曲部に設置させて、前記治療用椅子を倒すことで、前記湾曲部が前記患者の後頸部を乗せた状態で前記装着部が前記フレームをスライドする。
【考案の効果】
【００１３】
本考案によれば、既存の治療用椅子に簡単に設置することが出来るとともに、後頭部の髪型を崩すことなく患者の後頭部を安定して支持することが可能となる。
【図面の簡単な説明】
【００１４】
【図１】本考案に係る髪型維持用頸部支持台の正面斜視図である。
【図２】本考案に係る髪型維持用頸部支持台の背面斜視図である。
【図３】本考案に係る髪型維持用頸部支持台を治療用椅子のフレームに装着する場合の正面斜視図と側面図である。
【図４】日本髪の女性の患者が本考案に係る髪型維持用頸部支持台を使用する場合の起状態の治療用椅子の側面図と背面図である。
【図５】日本髪の女性の患者が本考案に係る髪型維持用頸部支持台を使用する場合の起状態と倒状態の治療用椅子の側面図である。
【図６】日本髪の女性の患者が本考案に係る髪型維持用頸部支持台を使用する場合の起状態と倒状態の治療用椅子の側面斜視図である。
【図７】髪型維持用頸部支持台の開口部の形状を設計変更した場合の正面図と側面図と背面図である。
【図８】髪型維持用頸部支持台の開口部の形態を設計変更した場合の正面図と側面図である。
【図９】ポニーテールの女性の患者が本考案に係る髪型維持用頸部支持台を使用する場合の起状態の治療用椅子の側面図と背面図である。
【考案を実施するための形態】
【００１５】
以下に、添付図面を参照して、本考案の実施形態について説明し、本考案の理解に供する。尚、以下の実施形態は、本考案を具体化した一例であって、本考案の技術的範囲を限定する性格のものではない。
【００１６】
図１は、本考案に係る髪型維持用頸部支持台の正面斜視図である。図２は、本考案に係る髪型維持用頸部支持台の背面斜視図である。
【００１７】
本考案に係る髪型維持用頸部支持台１は、図１と図２に示すように、本体部１０と、装着部１１と、台部１２と、湾曲部１３と、を備える。本体部１０は、直方体である。装着部１１は、起倒可能な治療用椅子２のバックレスト２０とヘッドレスト２１との間のフレーム２２にスライド可能に装着される。
【００１８】
台部１２は、前記本体部１０の正面の上方から所定の幅ｗで前記本体部１０の長手方向の上方に沿って延出し、当該延出された先端１２ａを前記本体部１０の背面に向かって屈曲することで、前記本体部１０の側面視で逆Ｌ字状に形成されている。
【００１９】
湾曲部１３は、前記台部１２の逆Ｌ字状の屈曲部１２ｂから先端１２ａまでの底面において、前記台部１２の正面視の両端から中央に向かって凹状で湾曲に形成されている。
【００２０】
図３は、本考案に係る髪型維持用頸部支持台を治療用椅子のフレームに装着する場合の正面斜視図と側面図である。図４は、日本髪の女性の患者が本考案に係る髪型維持用頸部支持台を使用する場合の起状態の治療用椅子の側面図と背面図とである。図５は、日本髪の女性の患者が本考案に係る髪型維持用頸部支持台を使用する場合の起状態と倒状態の治療用椅子の側面図である。図６は、日本髪の女性の患者が本考案に係る髪型維持用頸部支持台を使用する場合の起状態と倒状態の治療用椅子の側面斜視図である。
【００２１】
そして、本考案に係る髪型安定用頸部支持台１は、図３に示すように、前記台部１２の逆Ｌ字状の先端１２ａを上方にして、起状態の前記治療用椅子２のフレーム２２に前記装着部１１を装着し、図４に示すように、患者Ｐの後頸部Ｐ１を前記湾曲部１３に設置させて、図５と図６に示すように、前記治療用椅子２を倒すことで、前記湾曲部１３が前記患者Ｐの後頸部Ｐ１を乗せた状態で前記装着部１１が前記フレーム２２をスライドする。
【００２２】
これにより、既存の治療用椅子２に簡単に設置することが出来るとともに、後頭部Ｐ２の髪型を崩すことなく患者Ｐの後頭部Ｐ２を安定して支持することが可能となる。
【００２３】
即ち、本考案は、装着部１１を既存の治療用椅子２のフレーム２２に装着することで、既存の治療用椅子２に容易に設置することが出来るため、専用の安頭台又は専用の治療用椅子が不要であり、簡単に利用することが出来る。
【００２４】
又、湾曲部１３は、凹状に湾曲していることから、患者Ｐの後頚部Ｐ１を湾曲部１３に設置すると、図４に示すように、湾曲部１３の凹状が後頚部Ｐ１の周面にフィットする。そのため、患者Ｐの後頚部Ｐ１を安定的に固定することが出来る。
【００２５】
特に、台部１２の形状により、湾曲部１３を、患者Ｐの後頭部Ｐ２の髪の生え際まで、後頭部Ｐ２の髪型を崩すことなく設置することが出来る。これは、言い換えると、湾曲部１３を、後頭部Ｐ２の髪型を崩すことなく、後頭部Ｐ２の重心に近づけて設置することが出来ることを意味し、これにより、本考案は、患者Ｐの後頭部Ｐ２を安定して支持することが出来るのである。
【００２６】
ここで、図５と図６に示すように、患者Ｐが起状態の治療用椅子２に着座し、起状態から倒状態に移行させると、バックレスト２０に対する患者Ｐの後頭部Ｐ２の位置が下方に下がる。これは、治療用椅子２の起倒の軸の位置が患者Ｐの起倒の軸の位置と異なるからである。
【００２７】
そこで、本考案では、湾曲部１３が患者Ｐの後頸部Ｐ１を乗せた状態で装着部１１がフレーム２２をスライドすることで、患者Ｐの後頭部Ｐ２の位置の変化に合わせて、髪型安定用頸部支持台１の全体がフレーム２２の下方に下がる。これにより、治療用椅子２を起状態から倒状態に移行させたとしても、湾曲部１３が患者Ｐの後頸部Ｐ１を乗せた状態で、髪型安定用頸部支持台１の位置が下方にスライドして、患者Ｐに違和感を与えることなく、患者Ｐの後頭部Ｐ２を安定して支持することが出来るのである。
【００２８】
又、台部１２の逆Ｌ字状の先端１２ａを上方に位置した状態で開口部１１ａをフレーム２２に装着すると、図４−図６に示すように、上方に空間Ｓが形成され、この空間Ｓに、後頭部Ｐ２からの髪（例えば、髱（たぼ））が配置される。これにより、後頭部Ｐ２の髪型が後頭部Ｐ２と安頭台２１との間に挟まることなく、髪型の崩れを確実に防止することが出来る。この状態で、治療用椅子２を倒して、患者Ｐに歯科治療を行ったとしても、後頚部Ｐ１が湾曲部１３の凹部にしっかり固定され、且つ、髪型安定用頸部支持台１の全体がフレーム２２をスライドすることから、患者Ｐの頭部も固定され、患者Ｐに無理なく歯科治療を施すことが可能となる。特に、湾曲部１３が後頭部Ｐ２の重心に接近していることから、患者Ｐの頭部はより安定して支持されるのである。歯科治療以外の治療であっても、同様である。
【００２９】
尚、図４−図６では、ヘッドレスト２１がフレーム２２に設けられた状態で髪型安定用頸部支持台１をフレーム２２に装着しているが、特に、患者Ｐの後頭部Ｐ２からの髪が非常に大きい場合、ヘッドレスト２１は、取り外したり外部へ折り曲げたりしても構わない。
【００３０】
ここで、本考案は、前記湾曲部１３から前記本体部１０に向かって前記本体部の長手方向に沿って開口されたスリット１４ａを、前記本体部１０の短手方向に沿って所定の間隔ｔ１で複数設けることで形成された櫛部１４を更に備えている。
【００３１】
これにより、患者Ｐの後頚部Ｐ１を湾曲部１３に設置した際に、患者Ｐの後頚部Ｐ１から後頭部Ｐ２に向かって存在する髪が適切に櫛部１４のスリット１４ａに抜ける。そのため、後頭部Ｐ２の髪型の崩れを最小限にすることが出来る。更に、櫛部１４が、患者Ｐの後頭部Ｐ２の髪の生え際まで接近することが出来るため、湾曲部１３を、後頭部Ｐ２の髪型を崩すことなく、後頭部Ｐ２の重心に接近させることが可能となる。
【００３２】
ここで、本体部１０は、直方体であれば、特に限定は無いが、例えば、直方体に類似する多角形状や楕円形状であっても構わない。
【００３３】
又、装着部１１は、フレーム２２にスライド可能に装着される構成であれば、特に限定は無いが、例えば、図１と図２に示すように、本体部１０における正面視では、フレーム２２の断面に対応する形状で、フレーム２２に挿通可能な開口部１１ａで構成しても良い。開口部１１ａは、本体部１０の正面から背面まで貫通させることで、ヘッドレスト２１をフレーム２２から取り外して、開口部１１ａにフレーム２２を挿通させることで、装着部１１をフレーム２２に装着させることが出来る。又、開口部１１ａが貫通孔である場合は、開口部１１ａ付近を開閉可能な丁番式にして、フレーム２２に装着可能に構成すれば良い。
【００３４】
又、例えば、ヘッドレスト２１がフレームから取り外すことが出来ない場合は、開口部１１ａは、本体部１０の一方の側面から中央まで、本体部１０の短手方向に沿って開口させると好ましい。これにより、装着部１１の開口部１１ａをフレーム２２の側面から装着することが出来るため、既存の治療用椅子２に装着し易くすることが可能となる。
【００３５】
又、装着部１１の開口部１１ａは、例えば、本体部１０の長手方向に沿って所定の間隔ｔ２で複数設けると好ましい。これにより、患者Ｐの頭部と頸部と胴部の構成に合わせて、特定の高さの開口部１１ａをフレーム２２に装着することで、患者Ｐの後頚部Ｐ１が設置される湾曲部１３の高さを簡単に調整することが出来るため、どのような患者Ｐであっても、患者Ｐの体に合わせて、本考案を設置することが可能となる。
【００３６】
ここで、装着部１１の開口部１１ａは、本体部１０の一方の側面からフレーム２２に装着可能な形状であれば、特に限定は無いが、例えば、フレーム２２の断面に対応する形状を含む形状となる。又、開口部１１ａの数に特に限定は無く、既存の治療用椅子２のフレーム２２に応じて、適宜設計される。
【００３７】
図７は、髪型維持用頸部支持台の開口部の形状を設計変更した場合の正面図と側面図と背面図である。
【００３８】
ここで、開口部１１ａの形状に特に限定は無く、適宜設計される。例えば、図７に示すように、本体部１０における正面視では、フレーム２２の断面に対応する形状で、開口部１１ａの先端近傍１１ａ１（本体部１０の中央近傍）で、本体部１０の正面から背面まで、開口部１１ａの正面から背面までの特定の方向Ｄに対して所定の角度αで傾斜して開口した装着用開口部１１ｂを備えても良い。
【００３９】
このように、装着用開口部１１ｂを開口部１１ａに対して傾斜させて形成させることで、図７に示すように、開口部１１ａと装着用開口部１１ｂとの間に段差１１ｃが形成される。そのため、フレーム２２を本体部１０の一方の側面から開口部１１ａに装着し、開口部１１ａの先端付近１１ａ１へ向かって装着用開口部１１ｂに挿入すると、フレーム２２が段差１１ｃに引っ掛かり、フレーム２２が装着用開口部１１ｂに固定される。これにより、フレーム２２への髪型維持用頸部支持台１の固定を確実にすることが出来る。
【００４０】
尚、フレーム２２を装着用開口部１１ｂから外す場合は、上述の手順の逆を行えば良く、フレーム２２と段差１１ｃとの引っ掛かりを外し、フレーム２２から開口部１１ａを引き抜けばよい。
【００４１】
図８は、髪型維持用頸部支持台の開口部の形態を設計変更した場合の正面図と側面図である。
【００４２】
又、開口部１１ａの形態に特に限定は無く、適宜設計される。例えば、図８に示すように、開口部１１ａの先端１１ａ２から、フレーム２２の断面の長手方向の寸法ｔ３に対応する間隔を空けて、開口部１１ａの境界線Ｌから円形の端部１１ｄ１が出るように、当該円形で本体部１０の正面から背面まで開口することで形成された円筒開口部１１ｄと、円筒開口部１１ｄの円形に対応する円形を底面に有し、円筒開口部１１ｄに挿入された弾性円筒部１１ｅと、を備えても良い。
【００４３】
このように、円筒開口部１１ｄに挿入された弾性円筒部１１ｅの端部を開口部１１ａの境界線Ｌから出すことで、図８に示すように、弾性円筒部１１ｅの端部がフレーム２２の引っ掛けとして機能し、フレーム２２を開口部１１ａに確実に固定することが出来る。
【００４４】
ここで、弾性円筒部１１ｅの構成に特に限定は無いが、例えば、図８に示すように、弾性円筒部１１ｅの長手方向に切り込み１１ｅ１を設けることで、円筒開口部１１ｄに挿入し易くしても良い。
【００４５】
台部１２の形状は、逆Ｌ字状であれば、特に限定は無いが、例えば、逆Ｌ字状に類似する逆Ｔ字状であっても構わない。台部１２で形成される空間Ｓは、大きければ大きい程、後頭部Ｐ２からの髪型を空間Ｓに納めやすくなるため、好ましい。又、台部１２の幅ｗに特に限定は無いが、例えば、患者Ｐの後頚部Ｐ１の幅に対応すると好ましい。
【００４６】
湾曲部１３は、更に、台部１２の側面視の両端から中央に向かって凸状で湾曲に形成されても良い。これにより、患者Ｐの後頚部Ｐ１において頸椎の自然なＳ字カーブに対応し、患者Ｐの後頚部Ｐ１に負担なく、当該後頚部Ｐ１を湾曲部１３に設置させることが可能となる。
【００４７】
又、櫛部１４の形状に特に限定は無いが、櫛部１４に含まれる台部１２の逆Ｌ字状の屈曲部１２ｂから先端１２ａを尖らせるように構成することが出来る。これにより、櫛部１４を患者Ｐの後頭部Ｐ２の髪の生え際に入れても、尖らせた構成により、櫛部１４が、生え際の髪型の崩しを最小限にして、この髪に入るため、湾曲部１３を後頭部Ｐ２の重心付近により一層近づけることが可能となる。又、櫛部１４の先端１２ａは、患者Ｐの後頚部Ｐ１を傷付けないように、滑り性を付与しておいても良い。更に、櫛部１４のスリット１４ａの数に特に限定は無く、適宜設計される。
【００４８】
ここで、スリット１４ａの間隔ｔ１とスリット１４ａの幅に特に限定は無い。スリット１４ａの間隔ｔ１と幅を調整することで、櫛部１４が患者Ｐの後頚部Ｐ１に当接した際に、後頚部Ｐ１に痛みを伴わずに、クッション性を付与し、患者Ｐが無理なく後頚部Ｐ１を櫛部１４及び湾曲部１３に設置することが可能となる。スリット１４ａの長さに特に限定は無いが、長く構成することで、台部１２と湾曲部１３にクッション性を付与し、患者Ｐが無理なく後頚部Ｐ１を櫛部１４及び湾曲部１３に設置することが可能となる。
【００４９】
髪型安定用頸部支持台１の素材に特に限定は無いが、例えば、硬質のプラスチックや硬質のゴム弾性体等を挙げることが出来る。硬質のプラスチック等で構成すると、使用後に蒸気滅菌等を行うことが可能となり、衛生的に使用し易くなる。又、髪型安定用頸部支持台１を金属で構成する場合は、例えば、患者Ｐの後頚部Ｐ１に当接する湾曲部１３の表面に弾性体やゲル等の軟質素材を設けて構成しても良い。
【００５０】
髪型安定用頸部支持台１の製造方法に特に限定は無いが、例えば、本体部１０よりも大きい直方体を、髪型安定用頸部支持台１の形状に対応するように削り出す方法、髪型安定用頸部支持台１の形状に対応する金型を用意して射出成形する方法等を挙げることが出来る。
【００５１】
又、治療用椅子２の種類に特に限定は無く、バックレフト２０とヘッドレスト２１とフレーム２２の他に、コンターシート等、他の構成が付加されていても良い。
【００５２】
図９は、ポニーテールの女性の患者が本考案に係る髪型維持用頸部支持台を使用する場合の起状態の治療用椅子の側面図と背面図とである。
【００５３】
上述では、日本髪の女性の患者に適用したが、図９に示すように、後頭部Ｐ２から髪が生じるポニーテールの患者Ｐであっても、同様の作用効果を得ることが出来る。即ち、空間Ｓに後頭部Ｐ２からのポニーテールが下方に垂れ下がることで、患者Ｐの後頚部Ｐ１が安定的に固定され、後頭部Ｐ２の髪型が後頭部Ｐ２とヘッドレスト２１との間に挟まることなく、髪型が崩れるのを確実に防止することが出来るのである。
【産業上の利用可能性】
【００５４】
以上のように、本考案に係る髪型安定用頸部支持台は、歯科治療用椅子に限らず、あらゆる治療用椅子に設置可能であり、患者の髪型を維持することが可能な髪型安定用頸部支持台として有用であり、既存の治療用椅子に簡単に設置することが出来るとともに、後頭部の髪型を崩すことなく患者の後頭部を安定して支持することが可能な髪型安定用頸部支持台として有効である。
【符号の説明】
【００５５】
１  髪型安定用頸部支持台
１０  本体部
１１  装着部
１２  台部
１３  湾曲部
１４  櫛部
【図１】
0003221365.tif 000003
【図２】
0003221365.tif 000004
【図３】
0003221365.tif 000005
【図４】
0003221365.tif 000006
【図５】
0003221365.tif 000007
【図６】
0003221365.tif 000008
【図７】
0003221365.tif 000009
【図８】
0003221365.tif 000010
【図９】
0003221365.tif 000011